(57)【要約】【課題】  患部の傷口を縫合するに当たり、左右一対の持針部で縫合針の基部を挟持した状態から所要の縫合するべき皮膚に刺入するまでの手に持った持針器の回動角度を減少させ、手首の回動による負担を軽減することができる医療用持針器を提供する。【解決手段】  左右一対の持針部材片１ａ，１ｂの持針部３ａ，３ｂは、その夫々の関節部２ａ，２ｂの中心線上に在る枢軸支点４を通る中心線Ｘ−Ｘより内側に突出した突出部７ａ，７ｂを夫々具備すると共に、その夫々の突出部７ａ，７ｂの内面を垂直面Ｙ−Ｙに対し所望角度で傾斜し且つ互いに平行する傾斜持針面３ａ１，３ｂ１に形成した。【選択図】      図４
2007143899.tif 000002
【特許請求の範囲】
【請求項１】
左右一対の持針部材片の持針部は、その夫々の関節部の中心線上に在る枢軸支点を通る中心線より内側に突出した突出部を夫々具備すると共に、その夫々の突出部の内面を垂直面に対し所望角度で傾斜し且つ互いに平行する傾斜持針面に形成したことを特徴とする医療用持針器。
【請求項２】
該左右の傾斜持針面の傾斜角度は垂直面に対し３０°〜７０°である請求項１又は２に記載の医療用持針器。
【請求項３】
持針器を構成するべき左右一対の持針部材片の鍛造加工において、その夫々の持針部となる持針部素材を、その夫々の関節部の中心線上に位置する枢軸用支点を通る該中心線より内側に突出する肉厚部を有するものに鍛造する工程と、次いで、その夫々の肉厚部を切削し、該支点を通る中心線より内側に突出した突出部が幅方向において互いに反対側に位置すると共に、該垂直面に対し所望角度で傾斜し、且つ互いに平行する傾斜持針面に夫々形成する切削加工工程とから成ることを特徴とし、このように加工された左右一対の持針部材片を常法により夫々の関節部を交叉させ、その中心で連結した枢軸を支点としてその左右一対の持針部を開閉自在に組み立てる工程とから成る医療用持針器の製造法。
【発明の詳細な説明】
【技術分野】
【０００１】
本発明は、医療用持針器及びその製造法に関する。
【背景技術】
【０００２】
従来、人体の傷口を縫合する縫合針を挟持する医療用持針器として、各種形態のものが知られている。例えば、図９及び図１０に示すものが広く公知公用である。
符号Ａで示す該持針器は、一対の持針部材片ａ１，ａ２をその夫々の関節部Ｂ，Ｂ、図示の例では、ボックス・ブルーク(BOX・BROOK)方式の関節部Ｂ，Ｂで交叉させ、その交叉部の中心で枢軸Ｃにより回動自在に連結し、該枢軸Ｃを支点としてその左右一対の持針部Ｄ，Ｄを開閉自在としたものであるが、その夫々の持針部Ｄ，Ｄの持針面ｄ，ｄは、図１０に明示のように、関節部Ｂ，Ｂの夫々の中心の支点Ｃを通る中心線Ｘ−Ｘ，Ｘ−Ｘ上に夫々位置している。
従って、左右一対の持針部Ｄ，Ｄを閉じた場合は、その夫々の持針面ｄ，ｄは、図９に示すように、該支点Ｃを通る垂直線Ｙ−Ｙと平行する垂直状態で正対することとなる。
該持針器Ａは、その左右一対の持針部材片ａ１，ａ２の基端部には、一対の把手Ｅ，Ｅと該把手Ｅ，Ｅの内側から突出した互いに係脱自在の一対の固定具Ｆ，Ｆ、図示の例では複数段の係止用凹凸状段部から成る雁木型の一対の固定具Ｆ，Ｆを具備し、該持針部Ｄ，Ｄを閉じ、その持針面ｄ，ｄ間に縫合針の基部を挟持したとき、図９に示すように、該一対の固定具Ｆ，Ｆを互いに係止させて、該持針部Ｄ，Ｄによる該縫合針の挟持状態を固定するものである。尚、左右一対の持針面ｄ，ｄは、図示のように、網目状などの微細な粗面に刻成して摩擦面とし、縫合針をしっかり挟持するように加工されていることが一般である。
【発明の開示】
【発明が解決しようとする課題】
【０００３】
しかし乍ら、上記の持針器Ａを使用するに当たり、その左右の把手Ｅ，Ｅを持ち、その持針部Ｄ，Ｄを閉じ、その夫々持針面ｄ，ｄで、図１１に示すように、半円弧状の縫合針Ｇ（これに連結されている縫合糸は図示しない）の基部を挟持したとき、その左右の持針面ｄ，ｄは、垂直面Ｙ−Ｙに平行する垂直状態で縫合針Ｇの基部ｇを挟持することとなる。このことは、該一対の持針面により挟持された縫合針Ｇの基部ｇは、水平状態に在る左右の把手Ｅ，Ｅに対し直角関係となり、その針先ｇは水平面に対し約４５°上向きとなる。
その結果、縫合作業を行うに当たり、該持針器Ａを図１１示のようにその水平状態の持針部Ｄ，Ｄで縫合針Ｇを挟持した状態から、図１２に示すように、仮想線で示す患部の皮膚面Ｓにその針先ｇを刺し込むに適した角度で当てるには、手に持った水平状態に在る把手Ｅ，Ｅを９０°以上回動させる必要がある。従って、水平状態の把手Ｅ，Ｅを把持した手首を９０°以上回す必要があり煩わしく、且つ手首に大きな負担がかかり、また、容易且つ的確に刺入せしめることが困難となるなどの不都合を生じる。
そこで、本願の発明者は、一対の持針部で縫合針の基部を挟持し、皮膚面に刺し込むまでの把手の回動角度、即ち、手首の回動を少なくし、手首の負担を軽減するには、一対の持針部を閉じその持針面で縫合針の基部を挟持したとき、垂直面に対し、予め、傾斜した角度で挟持できるように、その平行して対向する持針面を垂直面Ｙ−Ｙに対し傾斜した傾斜持針面とすればよいとの着想に基づき、図１３に示すように、上記従来の持針器Ａの左右一対の持針部Ｄ，Ｄの対向する持針面ｄ，ｄを垂直面Ｙ−Ｙに対し、仮想線で示すように、例えば、垂直面に対し傾斜角度１５°傾斜し且つ並行する傾斜持針面ｄ′，ｄ′が形成されるまで切削加工してみたところ、その傾斜持針面ｄ′，ｄ′は切削前の持針面ｄ，ｄより、挟持面積が減少するばかりでなく、互いに合致しない非挟持面ｄ″，ｄ″を生じる不都合を生じ、また、その傾斜角度を大きくすればするほど、持針面の非挟持部が増大し、持針部Ｄ，Ｄ自体の大きさは著しく小さくなり、全く実用に適しない持針部となり、実質上、良好な医療用持針器は製造できないことが判明した。
上記に鑑み、本発明は、上記従来の不都合を解消し、縫合作業における縫合針を挟持した状態から縫合すべき患者の皮膚面に刺入するまでの回動角度を少なくし、それだけ、手首の負担を軽減し、容易且つ的確に刺し込み作業を行うことができるなどの効果をもたらす優れた医療用持針器とその製造法を提供することを目的とする。
【課題を解決するための手段】
【０００４】
本発明の医療用持針器は、請求項１に記載のように、左右一対の持針部材片の持針部は、その夫々の関節部の中心線上に在る枢軸支点を通る中心線より内側に突出した突出部を夫々具備すると共に、その夫々の突出部の内面を垂直面に対し所望角度で傾斜し且つ互いに平行する傾斜持針面に形成したことを特徴とする。
更に本発明は、上記の医療用持針器において、該左右の傾斜持針面の傾斜角度は垂直面に対し３０°〜７０°であることを特徴とする。
更に本発明は、上記請求項１及び２に記載の持針器の製造法を提供するもので、持針器を構成するべき左右一対の持針部材片の鍛造加工において、その夫々の持針部となる持針部素材を、その夫々の関節部の中心線上に位置する枢軸用支点を通る該中心線より内側に突出する肉厚部を有するものに鍛造する工程と、次いで、その夫々の肉厚部を切削し、該支点を通る中心線より内側に突出した突出部が幅方向において互いに反対側に位置すると共に、該垂直面に対し所望角度で傾斜し、且つ互いに平行する傾斜持針面に夫々形成する切削加工工程とから成ることを特徴とし、このように加工された左右一対の持針部材片を常法により夫々の関節部を交叉させ、その中心で連結した枢軸を支点としてその左右一対の持針部を開閉自在に組み立てる工程とから成る。
【発明の効果】
【０００５】
請求項１に記載の本発明の医療用持針器によれば、その左右一対の持針部の傾斜持針面で縫合針の基部を挟持したとき、該基部を垂直面に対する傾斜角度に応じた傾斜状態で挟持できるので、その傾斜角度に応じた分、従来の持針器により垂直方向に挟持する場合に比し、回動角度を減少でき、手首の負担を軽減でき、皮膚面への刺入作業が容易となる。
この場合、請求項２に記載のように、傾斜持針面の垂直面に対する３０°〜７０°とすることにより、著しく上記効果をもたらす一方、皮膚面に対する刺入角度を適当な角度を確保できると共に、刺入後の縫合針を回動してその針先を容易に抜き出すことができる。
請求項３に記載の本発明の医療用持針器の製造法によれば、左右一対の持針部材片を素材から鍛造、切削加工で仕上げるに当たり、予め、その左右一対の持針部材片の夫々の持針部素材を、その関節部の中心に位置する枢軸用支点を通る中心線上より内側に突出する肉厚部をもつものに鍛造して用意し、次いで、その夫々の持針部素材の該肉厚部を切削し、該支点を通る中心線により内側に突出した突出部が幅方向において互いに反対側に位置すると共に、該垂直面に対し所望角度で傾斜し、且つ互いに平行する傾斜持針面に夫々切削加工することにより、左右の傾斜持針面が同一形状、寸法を有し、且つその全面が合致する良好な左右一対の持針部を具備した持針部材片が製造できるので、これらを常法により医療用持針器に組み立てることにより、上記の諸効果をもたらす請求項１及び２に記載の医療用持針器が得られる。
【発明を実施するための最良の形態】
【０００６】
本発明の実施の１例の医療用持針器につき、添付図面の図１〜図４を参照し、以下に詳述する。
図面で１は、本発明の医療用持針器を示す。該持針器１は、一対の持針部材片１ａ，１ｂをその一方の持針部材片１ａの関節部２ａの両側面を貫通する矩形状の貫通孔に、その他方の中実の関節部２ｂを有する持針部材片１ｂの持針部３ｂを挿通し、その中実の関節部２ａで交叉させ、交叉した夫々の関節部２ａ，２ｂの夫々の中心で連結した枢軸４で回動自在に組み立て、その枢軸４を支点として左右一対の対向する持針部３ａ，３ｂを開閉自在とし、その夫々の持針部材片１ａ，１ｂの基部に左右に所望形状の把手５，５、図示の例では、リング状の把手５，５とその内側に対向して突出し、互いに係脱自在の固定具６，６、図示の例では、雁木型固定具６，６を配設し、その左右一対の把手５，５を手で持ち、持針部３ａ，３ｂを閉じ縫合針の基部を挟持すると同時に、固定具６，６を互いに係止し、挟持状態を固定し、以下常法により縫合すべき仮想線で示す患部の皮膚面に適当な角度で針先を当て刺入し、縫合作業を行う。以上構成と作用は前記従来の持針器Ａと変わりがない。
【０００７】
本発明の医療用持針器１の特徴とする構成は、図１〜図４に明示のように、その左右一対の持針部３ａ，３ｂを、その夫々の該関節部２ａ，２ｂの中心に位置する該枢軸支点４を通る中心線Ｘ−Ｘより内側に突出した突出部７ａ，７ｂを夫々の持針部３ａ，３ｂの幅方向の互いに反対側に位置して具備せしめると共に垂直面Ｙ−Ｙに対し所望角度で傾斜し且つ互いに平行する傾斜持針面３ａ１，３ｂ１に形成したことに在る。図示の実施例では、夫々の傾斜持針面３ａ１，３ｂ１の傾斜角度は図３に明示するように、夫々４５°とした。
【０００８】
図５は、上記の本発明の持針器１により上記の半円弧状の、即ち、強弯型の縫合針Ｇの基部ｇ（これに接続する縫合糸の図示は省略）を持針した状態を示す。
その該持針部３ａ，３ｂの４５°の傾斜角度を有する傾斜持針面３ａ１，３ｂ１間で該縫合針Ｇの基部ｇは、その傾斜角度に従って４５°の傾斜角度で挟持されるので、その針先は殆ど水平状態に近い状態に向く。従って、かゝる挟持状態から皮膚に刺入するに当たり、その刺入するに適した角度まで手に持った持針器１を回動させるその回動角度は４５°程度で足り、上記従来の持針器Ａを用いた場合には、９０°以上の回動を必要とし、手首を裏返すまで回動させる手首の負担は著しく軽減されると共に刺入作業を容易且つ確実に行うことができる。
【０００９】
この場合、左右一対の持針部３ａ，３ｂの傾斜持針面３ａ１，３ｂ１の垂直面Ｙ−Ｙに対する傾斜角度は４５°に限定されるものではないことは勿論である。一般に、１０°以上の傾斜角度が考えられるが、特に、３０°〜７０°程度の範囲が実用上一般であり好ましい。また、限定すべきことではないが、傾斜角度１０°以上30°未満の範囲では、皮膚面への刺入作業における手首の負担の軽減度の効果は小さくなる。一方、傾斜角度７０°を超える場合は、皮膚面に縫合針を刺した後、針先を皮膚面から抜き出すまでの回動時の手首の負担が大きくなる傾向を生ずる。従って、傾斜角度は３０°〜７０°の範囲が特に好ましい。
尚、該左右一対の傾斜持針面３ａ１，３ｂ１は、図示のように、微細な粗面に形成されることは、従来と同様である。
【００１０】
以上の実施例は、右手把持専用の持針器１について説明したが、図８は、他の実施例として左手把持専用の持針器１′を示す。該持針器１′の左右一対の傾斜持針面３ａ１′，３ｂ１′の傾斜方向は、右手把持専用の持針器１の傾斜持針面３ａ１，３ｂ１の傾斜方向と逆である点で相異する。換言すれば、その対向する傾斜持針面３ａ１′，３ｂ１′の夫々の突出部7ａ′，７ｂ′の幅方向の位置は、右手把持専用の持針器１の対向する傾斜持針面３ａ１，３ｂ１の夫々の突出部７ａ，７ｂの位置と反対側に形成されている。
【００１１】
図８は、本発明の医療用持針器の製造法の実施の１例を示し、図８（ａ）に示すように、左右一対の持針部材片ａ１，ａ２の素材として、鍛造加工により、その夫々の持針部３ａ，３ｂの素材としてその夫々の関節部２ａ，２ｂの中心に位置する枢軸用支点４，４の夫々中心線Ｘ−Ｘ，Ｘ−Ｘより内側に突出する肉厚部７Ａ，７Ｂを有する柱状のブロックＴ，Ｔに鍛造加工したものを用意する工程と、次いで、その夫々の突出部７ａ，７ｂを持針部３ａ，３ｂの幅方向における互いに反対側具備するように切削加工して、夫々その突出部７ａ，７ｂの内面を切削し、夫々の持針部３ａ，３ｂの幅方向の反対側に有し且つ垂直面Ｙ−Ｙに対し所望角度、図示の例では、４５°傾斜し、且つ互いに平行する傾斜持針面３ａ１，３ｂ１に形成することにより、本発明の持針部材片ａ１，ａ２を製造し、次いで、このように製造された左右一対の持針部材片ａ１，ａ２を常法により、その夫々の関節部を交叉させ、その中心で連結した枢軸を支点としてその左右一対の挟持部３ａ，３ｂを開閉自在に組み立て図１に示す医療用持針器１を製造した。
尚、図９に示す符号、７ａ１及び７ｂ１は、縫合針Ｇを挟持するべく、該持針器１の持針部３ａ，３ｂを閉じ操作したとき、その対向する左右一対の傾斜持針面３ａ１，３ｂ１が図１及び図２に示すように閉じ状態が得られるように、該切削加工時に、突出部７ａ，７ｂの下端に形成した切欠き７ａ１，７ｂ１を示す。
【図面の簡単な説明】
【００１２】
【図１】本発明の実施の１例の医療用持針器の左右一対の持針部を閉じた状態を示す正面図。
【図２】図１示の持針器の裏面図。
【図３】図１示の持針器を先端側から見た拡大平面図。
【図４】図１示の持針器の左右一対の持針部を開いた状態の要部の拡大正面図。
【図５】図１示の持針器で縫合針を挟持した状態をその先端側から見た平面図。
【図６】図４示の持針器に挟持された縫合針を皮膚面に刺入するべく当てた状態を示す平面図。
【図７】本発明の製造法に従って製造した他の実施例の持針器の左右一対の持針部材片の要部の図４示と同様の拡大正面図。
【図８】本発明の医療用持針器の製造法の１例を示し、図８（ａ）は、鍛造加工された持針部素材を有する左右一対の持針部材片の正面図、図８（ｂ）は、切削加工された持針部を有する左右一対の持針部材片の拡大正面図。
【図９】従来の医療用持針器の左右一対の持針部を閉じた状態を示す正面図。
【図１０】図９示の該持針器の左右一対の持針部を開いた状態を示す拡大正面図。
【図１１】図９示の持針器で縫合針を挟持した状態をその先端側から見た平面図。
【図１２】図１０示の持針器で挟持された縫合針を皮膚面に刺入するべく当てた状態を示す平面図。
【図１３】上記従来の持針器を利用し、本発明の目的とする持針器の製造を試みた事例を説明する左右一対の持針部の横断面図。
【符号の説明】
【００１３】
１，１′  本発明の医療用持針器
１ａ  持針部材片
１ｂ  持針部材片
２ａ  関節部
２ｂ  関節部
３ａ  持針部
３ｂ  持針部
３ａ１  傾斜持針面
３ｂ１  傾斜持針面
３ａ１′  傾斜持針面
３ｂ１′  傾斜持針面
４  枢軸、支点
５  把手
７Ａ  肉厚部
７Ｂ  肉厚部
７ａ  突出部
７ｂ  突出部
７ａ′  突出部
７ｂ′  突出部
Ｙ−Ｙ  垂直面
Ｘ−Ｘ  支点を通る中心線
【図１】
2007143899.tif 000003
【図２】
2007143899.tif 000004
【図３】
2007143899.tif 000005
【図４】
2007143899.tif 000006
【図５】
2007143899.tif 000007
【図６】
2007143899.tif 000008
【図７】
2007143899.tif 000009
【図８】
2007143899.tif 000010
【図９】
2007143899.tif 000011
【図１０】
2007143899.tif 000012
【図１１】
2007143899.tif 000013
【図１２】
2007143899.tif 000014
【図１３】
2007143899.tif 000015